(57)【要約】      （修正有）【課題】公衆安全（ＰＳ）システムにおいて、発見不可能な第１公衆安全ユーザ機器（ＰＳ  ＵＥ）による発見可能な第２ＰＳ  ＵＥの発見のための方法を提供する。【解決手段】公衆安全システムは、第１ＰＳ  ＵＥおよび第２ＰＳ  ＵＥのワイヤレス・アクセスのために公衆安全スペクトルを提供する電気通信ネットワークを含む。この方法は、第１の発見不可能なＰＳ  ＵＥが、第２ＰＥ  ＵＥのために同期情報を送信するステップと、送信された同期情報にしたがって、第２ＰＳ  ＵＥから少なくとも１つの近接告知を受信するステップとを含む。【選択図】なし【特許請求の範囲】
【請求項１】
公衆安全システムにおいて発見不可能な第１公衆安全ユーザ機器（以下、「ＰＳ ＵＥ
」と称する。）による発見可能な第２ＰＳ ＵＥの発見方法であって、前記公衆安全シス
テムが、前記第１ＰＳ ＵＥおよび前記第２ＰＳ ＵＥのワイヤレス・アクセスのために公衆安全スペクトルを提供する電気通信ネットワークを含み、当該方法が、前記発見不可能な第１ＰＳ ＵＥによる、
−前記第２ＰＳ ＵＥについての同期情報を送信するステップと、
−前記送信された同期情報にしたがって、少なくとも１つの近接告知（以下、「ＰＡ」と称する。）を前記第２ＰＳ ＵＥから受信するステップと
を含む、方法。
【請求項２】
請求項１記載の方法であって、更に、前記発見不可能な第１ＰＳ ＵＥによる、
−第１既定時間期間にわたって前記同期情報の送信を遅延させるステップと、
−前記第１既定時間期間中に前記発見可能な第２ＰＳ ＵＥからのＰＡおよび同期情報
の内少なくとも１つの受信を監視するステップと、
−前記ＰＡまたは同期情報が前記第１既定時間期間中に受信されなかった場合にのみ、前記第２ＰＳ ＵＥについての前記同期情報を送信するステップと
を含む、方法。
【請求項３】
請求項１または２記載の方法において、前記発見不可能な第１ＰＳ ＵＥが、前記電気
通信ネットワークの前記公衆安全スペクトルのネットワーク・カバレッジ下にあり、前記発見可能な第２ＰＳ ＵＥが、前記ネットワーク・カバレッジの外部にあり、当該方法が
更に、前記第１ＰＳ ＵＥによる、
−前記電気通信ネットワークから同期情報を受信するステップと、
−前記第２ＰＳ ＵＥについての前記同期情報を送信するステップであって、前記第２
ＰＳ ＵＥについての前記同期情報が、前記電気通信ネットワークから受信される同期情
報に基づく、ステップと
を含む、方法。
【請求項４】
請求項３記載の方法であって、更に、前記発見不可能な第１ＰＳ ＵＥによる、
−前記ネットワーク・カバレッジ外部の発見可能な第２ＰＳ ＵＥの前記電気通信ネッ
トワークからのトリガを受信するステップと、
−前記トリガが受信されているときにのみ、前記同期情報を送信するステップと
を含む、方法。
【請求項５】
請求項１〜４のいずれか一項記載の方法において、前記発見不可能な第１ＰＳ ＵＥが
、前記電気通信ネットワークの前記公衆安全スペクトルのネットワーク・カバレッジ外部にあり、当該方法が、更に、前記発見不可能な第１ＰＳ ＵＥによる、
−第２既定時間期間だけ前記同期情報の送信を遅延させるステップと、
−前記第２既定時間期間中に前記発見可能な第２ＰＳ ＵＥからの同期情報を監視する
ステップと、
−前記第２既定時間期間の経過後に前記同期情報を送信するステップであって、前記同期情報が前記第１ＰＳ ＵＥ自体からの同期情報である、ステップと、
−前記第１ＰＳ ＵＥ自体からの前記同期情報にしたがって、前記少なくとも１つのＰ
Ａを受信するステップと
を含む、方法。
【請求項６】
請求項２および５記載のいずれか一項の方法において、前記第１既定時間期間が、前記第２既定時間期間よりも短い、方法。
【請求項７】
請求項５または６記載の方法であって、更に、前記発見不可能な第１ＰＳ ＵＥによる
、
−第３ＰＳ ＵＥからの同期情報を受信するステップであって、前記同期情報が当該同
期情報の新鮮さの指標を含む、ステップと、
−前記新鮮さの指標が、前記同期情報の方が現在適用されている同期情報よりも新しいというような前記同期情報の新鮮さであることを示す場合、前記第３ＰＳ ＵＥからの前
記少なくとも１つのＰＡを受信するために、前記第３ＰＳ ＵＥからの前記同期情報にし
たがって同期を適合するステップと
を含む、方法。
【請求項８】
請求項７記載の方法において、前記指標が、経過時間フィールドおよびフラグの内少なくとも１つを含む、方法。
【請求項９】
請求項２記載の方法において、前記発見可能な第２ＰＳ ＵＥが、前記電気通信ネット
ワークの前記公衆安全スペクトルのネットワーク・カバレッジ内部にあり、前記同期情報が前記発見可能な第２ＰＳ ＵＥから受信され、前記同期情報が前記電気通信ネットワー
クから受信される前記同期情報に基づき、前記同期情報の送信が省略される、方法。
【請求項１０】
請求項１から９のいずれか一項記載の方法において、前記同期情報が前記公衆安全スペクトルの第１確保スペクトル帯域において送信され、前記ＰＡが、前記公衆安全スペクトルの、前記第１スペクトル帯域とは異なる、第２確保スペクトル帯域において受信される、方法。
【請求項１１】
コンピュータ・システム上で実行されると、請求項１〜１０のいずれか一項による方法を実行するように構成されたソフトウェア・コード部分を含むコンピュータ・プログラム。
【請求項１２】
請求項１１記載のコンピュータ・プログラムを含む非一時的コンピュータ・プログラム媒体。
【請求項１３】
請求項１２記載のコンピュータ・プログラム媒体を用いて構成される発見不可能な公衆安全ユーザ・デバイス。
【請求項１４】
ＰＳ ＵＥの発見において補助するように配置されたＰＳサーバ・システムであって、
実質的に各ＰＳ ＵＥのために以下のフィールド、
−ＰＳ ＵＥが発見可能なＰＳ ＵＥかまたは発見不可能なＰＳ ＵＥかを示す発見フィ
ールド、
−ＰＳ ＵＥが、公衆安全スペクトルが適用されるワイヤレス電気通信ネットワークに
おけるセルのエッジ付近にあるか否かを示すセル・エッジ・フィールド
−ＰＳ ＵＥが、公衆安全スペクトルが適用されるワイヤレス電気通信ネットワークの
ネットワーク・カバレッジの内部または外部のどちらにあるかを示すネットワーク・カバレッジ・フィールド、
の内少なくとも１つを格納する、ＰＳサーバ・システム。
【請求項１５】
請求項１４記載のＰＳサーバ・システムにおいて、前記ＰＳ ＵＥが異なるネットワー
ク事業者に関連付けられ、前記ＰＳサーバ・システムが前記異なるネットワーク事業者の異なるネットワークに接続され、前記ＰＳサーバ・システムが、前記異なるネットワーク事業者に関連付けられた前記ＰＳ ＵＥについての前記発見フィールド、前記セル・エッ
ジ・フィールド、および前記ネットワーク・カバレッジ・フィールドの内少なくとも１つ
を格納する、ＰＳサーバ・システム。
【請求項１６】
請求項１５記載のＰＳサーバ・システムにおいて、前記異なるネットワークの各々が１つのクロック基準に関連付けられる、ＰＳサーバ・システム。
【請求項１７】
請求項１４〜１６のいずれか一項記載のＰＳサーバ・システムにおいて、前記サーバ・システムが、更に、
−前記ＰＳ ＵＥの各々についての位置情報を示す座標フィールドと、
−前記座標フィールドが最後に更新された時刻を示すタイミング・フィールドと
を格納する、ＰＳサーバ・システム。
【請求項１８】
請求項１７記載のＰＳサーバ・システムであって、更に、互いから発見範囲に位置するＰＳ ＵＥの候補のリストを含み、前記リストが、前記ＰＳ ＵＥについての前記座標フィールドおよび前記タイミング・フィールドからの情報を使用して作られる、ＰＳサーバ・システム。
【請求項１９】
請求項１４〜１８のいずれか一項記載のＰＳサーバ・システムであって、更に、一旦ＰＳ ＵＥが無効化されたなら、ＰＳ ＵＥからの要求の結果として、前記ＰＳ ＵＥをその
ストレージから削除するように構成される、ＰＳサーバ・システム。
【請求項２０】
複数のワイヤレス電気通信ネットワークから提供されたＰＳ ＵＥ用の公衆安全スペク
トルであって、前記公衆安全スペクトルが、同期情報が前記ＰＳ ＵＥに送信される帯域
を含み、前記同期情報が、前記複数の電気通信ネットワークに共通のクロックから導き出される、公衆安全スペクトル。
【請求項２１】
ＰＳ ＵＥからの信号であって、同期情報と、前記同期情報が登録された時刻の指標と
を含む、信号。
【発明の詳細な説明】
【技術分野】
【０００１】
本発明は、公衆安全システムに関する。特に、本発明は、このようなシステムにおいて発見不可能なデバイス(non-discoverable device)のための発見方法、公衆安全サーバ・システム、および公衆安全ユーザ・デバイスに関する。
【従来技術】
【０００２】
米国では、ＬＴＥが、公衆安全ネットワークのための技術として、ＦＣＣによって選択されている。ヨーロッパでは、CEPT ECC WG FM PT 49によって取り上げられた、ブロードバンド公衆安全(broadband Public Safety)のために選択すべきスペクトルについての議論が進行中である。加えて、3GPP TR 22.803 v1.0.0 (2012-08) Technical Specification Group SA; Feasibility Study for Proximity Services (Release 12)（技術仕様グループＳＡ；近接サービスについての実現可能性の研究（発表１２））において、近接サービス（ＰｒｏＳｅ）要件に対する種々の公衆安全が定義されている。
【０００３】
公衆安全ＵＥ（ＰＳ ＵＥ）は、公衆安全サービスのために公衆安全スペクトルにおいて、そして商用サービスのために移動体ネットワーク事業者（ＭＮＯ）商用スペクトルにおいて動作することができる。しかしながら、公衆安全ＰｒｏＳｅのためには、公衆安全スペクトルだけが使用される。
【０００４】
ＰｒｏＳｅを使用するＰＳ ＵＥは、これらが異なるＨＰＬＭＮによって担当されることがあるにしても、公衆安全スペクトルを使用して互いに通信する。ここで注記しなければならないのは、ＰＳ ＵＥは、利用可能な事業者の内１つに属する商用スペクトルを利用して、商用ＵＥとして動作してもよいことが想定されているが、これらが公衆安全モードで動作するときには、ＰＳ ＵＥ通信専用に確保されている、既定の非商用共通公衆安全スペクトルを利用するということである。
【０００５】
ＰＳ ＵＥは、ネットワーク・カバレッジ内部またはネットワーク・カバレッジ外部のいずれでも作動するが、双方の場合において、公衆安全サービスのためには公衆安全スペクトルを利用する。ネットワーク・カバレッジの外部で作動するとき、ＰＳ ＵＥはネットワークからの情報を受信することも、他のＰＳ ＵＥとの通信のためにそれを使用することもできない。
【０００６】
公衆安全ＵＥは、ネットワーク・カバレッジが利用可能でないとき、自動的にＰｒｏＳｅを使用することができ、または、ネットワーク・カバレッジが利用可能であっても、ユーザがＰｒｏＳｅ発見および通信を使用するように手作業でＵＥを設定することができる。
【０００７】
他のＰＳ ＵＥを発見するために、ＰＳ ＵＥはラジオ・インターフェース上で特定の時刻および周波数において、いつそしてどこで他のＰＳ ＵＥがそれらの識別情報(identity)を送信するか待ち受ける。このような識別は近接告知（ＰＡ：proximity announcement)として送信される。ＰＳ ＵＥは、近接告知を受信および送信するときに同期する。
【０００８】
ネットワーク・カバレッジ内にあるＰＳ ＵＥに対して、ネットワークは同期情報をこれらのＰＳ ＵＥに伝達することができる。しかし、これはネットワーク・カバレッジ内にないＰＳ ＵＥには役に立たない。ネットワーク・カバレッジの外部にあるＰＳ ＵＥは、同期情報をそれら自体でブロードキャストすることができる。
【発明の概要】
【発明が解決しようとする課題】
【０００９】
ＰＳ ＵＥは、 発見不可能(non-discoverable)となるように設定されることがある。発見可能なＰＳ ＵＥはそれらの識別を送信しないはずである、即ち、ＰＡを送らないはずである。
【００１０】
多数の公衆安全職員（例えば、警察官、消防士等）が緊急状況に応答すると仮定する。全ての職員には、ＰＳ対応(enabled)ＵＥが装備されている。職員は、彼らがネットワーク・カバレッジの外部にいる場合であっても、彼らのＰＳ ＵＥを使用して、互いに発見し通信できなければならない。職員が彼／彼女のＵＥを他のＰＳ ＵＥから発見できないように設定してある場合でも、なおも近隣にある他のＰＳ ＵＥを発見できなければならない。
【００１１】
ここで問題となるのは、発見不可能なＰＳ ＵＥが含まれるとき、どのようにしてＰＳ ＵＥが同期することを確保するかということである。
【課題を解決するための手段】
【００１２】
本開示は、発見不可能なＰＳ ＵＥが含まれるときに同期を得る方法を紹介する。添付する請求項は、このシステムおよび方法の態様を構成する。
【００１３】
更に、本開示はこのようなＰＳ ＵＥの態様に関する。
【００１４】
同期情報（および恐らくは同期情報の鮮度(freshness)の指標）を送信することによって、発見不可能な公衆安全ＵＥは、それらが自証する必要はないが、他のデバイスがこの発見不可能なＰＳ ＵＥに同期し、ＰＡを送信することを可能にする。次いで、発見不可能なＰＳ ＵＥによってＰＡを受信することができる。このように、発見不可能なデバイスは発見されず、他のＰＳ ＵＥを発見することが可能になる。
【００１５】
更にまた、そして本開示の別の態様では、以上の発見方法を可能にする情報を含む公衆安全サーバを紹介する。
【００１６】
尚、本発明は、請求項において列記される特徴の可能な全ての組み合わせに関することを注記しておく。
【００１７】
本発明は、公衆安全以外のシナリオ、具体的には公衆安全以外のシナリオにおける近接サービス（ＰｒｏＳｅ）においても使用できるという利点があることが認められた。この開示では、公衆安全の代わりにＰｒｏＳｅと読み替えると、例えば、ＰＳ ＵＥ等の代わりにＰｒｏＳＥ ＵＥとすると、本発明はＰｒｏＳｅ一般にも適用することができる。
【００１８】
例えば、同期情報をネットワーク・カバレッジ内外に送信するために、別個のＰｒｏＳｅスペクトルを使用することができる。特に、ＰｒｏＳｅデバイスがカバレッジ外部にあり、カバレッジ外部発見をサポートしようとするとき、紹介した発見不可能なＵＥによる発見方法を使用することができるという利点がある。
【００１９】
他の例として、紹介したサーバ・システムは、公衆安全グループ以外のグループ、例えば、ある会社からの従業員のグループ、またはソーシャル・グループを定義するために使用することができる。また、第１および第２ＵＥが異なるネットワーク事業者に属するときに、異なるネットワークに接続されたＰｒｏＳｅサーバ・システムを使用して、１つのネットワーク事業者に限定されないＵＥのグループを定義することができるという利点がある。
【００２０】
図面に示す実施形態例を参照しながら、本発明の態様について更に詳しく説明する。
【図面の簡単な説明】
【００２１】
【図１】図１は、異なるＰＬＭＮのＰＳ ＵＥが関与するときにおけるシステム・アーキテクチャの模式図である。
【図２】図２は、本開示において適用されるフィールドを有するレジストリを内蔵するＰＳサーバの模式図である。
【図３】図３は、電気通信ネットワークにおけるＰＳサーバの位置の例の模式図である。
【図４】図４は、多数の事業者の非ＰＳスペクトル(non-PS spectrum)と組み合わせたＰＳスペクトルの例の模式図である。
【図５】図５は、ＰＳ ＵＥの発見についての種々の使用事例を示す。
【図６】図６は、ＰＳ ＵＥの発見についての種々の使用事例を示す。
【図７】図７は、ＰＳ ＵＥの発見についての種々の使用事例を示す。
【図８】図８は、ＰＳ ＵＥの発見についての種々の使用事例を示す。
【図９】図９は、ＰＳ ＵＥの発見についての種々の使用事例を示す。
【図１０】図１０は、ＰＳ ＵＥの発見についての種々の使用事例を示す。
【図１１】図１１は、ＰＳ ＵＥの発見についての種々の使用事例を示す。
【発明を実施するための形態】
【００２２】
公衆安全スペクトルのネットワーク・カバレッジ内外にある公衆安全対応ＵＥ（ＰＳ ＵＥ）におけるＰｒｏＳｅ発見についての実施形態を開示する。本発明は、異なるＰＬＭＮに属してもよく、または属さなくてもよい。ＰＳ ＵＥは、発見可能モードまたは発見不可能モードで動作することができる。
【００２３】
以下で説明するシステムは、とりわけ、以下の概念を利用する。これらの概念の各々は、単独で、または他の概念の内の１つ以上との組み合わせで適用されてもよい。
・ＰＳ ＵＥがセル・エッジにあるとき、ネットワーク・カバレッジ内にない他のＵＥに同期情報を再送信し、またＰＳ ＵＥがカバレッジ外部にあるとき、それ自体の同期情報を送る。
・ＰＳ ＵＥが特定の時間にわたって近接告知（ＰＡ：Proximity Announcement）を受信していないとき、同期情報を送信する（ＰＡが受信されている場合、同期はＯＫであるはずである）。
・ＰＳ ＵＥが異なるＰＬＭＮに属する場合、異なるネットワーク事業者間において調整されるユニバーサルＰＳクロック同期信号。各ネットワーク事業者は、例えば、それ自体のＳＦＮ（システム・フレーム番号）および同期クロックと共にオフセットをＵＥに送信することができる。
・公衆安全（ＰＳ）レジストリ・サービスを適用する。ＰＳサーバは、種々の状況においてＰＳ ＵＥの同期のために適用することができる特定の情報を収容する。
【００２４】
図１は、異なるＰＬＭＮのＰＳ ＵＥが関与するときのシステム・アーキテクチャの模式図を示す。尚、本開示は１つのＰＬＭＮのＰＳ ＵＥに関与するシステムおよび方法にも関係することは注記してしかるべきである。
【００２５】
図１のシステムは、４つの主要なコンポーネントを含む。
１）ネットワークの公衆安全に関係する機能を内蔵するＰＳサーバ。
２）異なるＰＬＭＮにわたる全てのＰＳ対応ＵＥに対して共通時間基準を提供するユニバーサル公衆安全クロック（ＵＰＳＣ）。
３）ＰＳレジストリとの双方向通信を有する１組の関連移動体ネットワーク事業者およびその対応ドメイン（無線およびコア）。
４）公衆安全スペクトルのネットワーク・カバレッジ内部または外部に位置することができ、現在担当している事業者を通じて、周期的にまたは指定イベントによって促されて、ＰＳサーバと情報を交換する１組のＰＳ対応ＵＥ。
【００２６】
図２は、ＰＳサーバの実施形態の模式図である。ここでも、ＰＳサーバは１つのＰＬＭＮからのＰＳ ＵＥにも適用することができる。ＰＳサーバを介して、あらゆるＰＳ当局（例えば、警察、消防署等）の各々は、ＰＳワイヤレス通信システムと直接、標準化された管理インターフェース、または企業固有の管理インターフェースのいずれかを介して（図２の左側参照）相互作用することができる。このように、ＰＳ当局はＰＳサーバに情報を提供し、システムに情報を要求し、ある種のアクションを誘発し、またはある種のイベントによって警報を受けることができる。
【００２７】
グローバルＰＳ ＵＥリスト（ＧＰＵＬ）は、全ての事業者のネットワーク（１つよりも多い事業者ネットワークが使用される場合）にわたって、有効化されたＰＳ対応ＵＥの１つずつについての情報を収容するリストである。ＰＳサーバは全ての事業者と常に双方向通信していることができるので、ＧＰＵＬは、例えば、以下に紹介するアルゴリズムに基づいて、更新され続けることができる。
【００２８】
Ｄ２Ｄ候補リストは、周期的にまたは特定のイベントによって促されて作成され、直接通信のために可能な候補ＵＥを収容するリストである。このリストは、ＧＰＵＬからのＵＥ位置情報に基づいて作成される。
【００２９】
ＧＰＵＬにおける各エントリは、サービスを受け、関連する移動体ネットワーク事業者の内任意のものに加入することができるＰＳ対応ＵＥを表し、その特定のＰＳ ＵＥについての情報を収容する多数のフィールドから成る。ＰＳサーバ・レジストリのフィールドは、図２において更に詳細に示す。
【００３０】
・ＩＤフィールド：このフィールドは特定のＰＳ対応ＵＥを識別する一意のＩＤ番号を保持する。このフィールドは、標準化された管理インターフェースまたは企業固有の管理インターフェースを通じてＰＳサーバの構成にアクセスすることができるＰＳ当局によって設定される(configure)。
【００３１】
・グループＩＤフィールド：このフィールドは、この特定のＵＥが属する（ＰｒｏＳｅグループ通信−マルチキャスト／ブロードキャストのために使用される）グループのＩＤ番号を保持する。このフィールドは、標準化された管理インターフェースまたは企業固有の管理インターフェースを通じてＰＳサーバの構成にアクセスすることができるＰＳ当局によって設定される。
【００３２】
・クラス・フィールド：このフィールドは、特定のＰＳ ＵＥの能力を識別し、異なるＰＳ ＵＥ間におけるサービスの差別化について可能性を提供する（職員、グループ・リーダ、司令官等の間における差別化）。このフィールドは、標準化された管理インターフェースまたは企業固有の管理インターフェースを通じてＰＳサービス・サーバの構成にアクセスすることができるＰＳ当局によって設定される。
【００３３】
・ＰｒｏＳｅ発見フィールド：このフィールドは、ＵＥの発見可能モードの設定を示す値を収容する。これは、ＯＮ（全ての他のＰＳ ＵＥによってＵＥを発見することができる）、ＯＦＦ（他のいずれのＵＥによってもＵＥを発見することはできない）に設定することができ、またはＰＳ ＵＥの内特定の部分集合だけがこの特定のＵＥを発見することを可能にする（例えば、特定の１組のＵＥまたは特定のクラスのＰＳ ＵＥでなければ発見できない）１組のＩＤまたはクラス識別子を収容することができる。このフィールドは、標準化された管理インターフェースまたは企業固有の管理インターフェースを通じてＰＳサービス・サーバの構成にアクセスすることができるＰＳ当局によって設定されてもよい。
【００３４】
・ＴＡ／ＲＡ（拡張）セルＩＤ／ＵＥ座標フィールド：このフィールドは、最後の追跡エリア（ＴＡ）、ルーティング・エリア（ＲＡ）、（拡張）セルＩＤ、または特定のＰＳ ＵＥが視認される／視認されたＵＥ座標（ＵＥが例えばＧＰＳ対応型であり、その座標を判定できる場合）についての情報を収容する。このフィールドについての情報は、TS 23.721 v11.2.0 "Functional stage 2 description of Location Services (LCS) (Release 11)" （ロケーション・サービス（ＬＣＳ）の機能段階２の説明（発表１１））において説明されているように、ＰＳ対応ＵＥを担当するそれぞれの移動体ネットワーク（１つまたは複数）からのロケーション・サービス（ＬＣＳ）機能によって提供され、そして、TS 25.305 v11.0.0 "Stage 2 functional description of User Equipment (UE) positioning in UTRAN (Release 11)" （ＵＴＲＡＮにおけるユーザ機器（ＵＥ）測位の段階２機能説明（発表１１））において説明されているように、それぞれの測位方法（例えば、ＴＡ、ＲＡ、（拡張セルＩＤ）、観察到達時間差、補助−ＧＰＳ等）によって提供されるタイプの位置情報が提供される。
【００３５】
・タイムスタンプ・フィールド：このフィールドは、ユニバーサルＰＳクロックによって提供される、ＴＡ／ＲＡ／（拡張）セルＩＤ／ＵＥ座標フィールドが最後に更新された時刻を収容する（多数のネットワークまたは１つのネットワークのいずれかに対して）。
【００３６】
・ネットワーク・カバレッジ・フィールド：このフィールドは、関連移動体ネットワークのＥＰＣ（進化パケット・コア）によって提供されるネットワーク・カバレッジの内部または外部のどちらに、特定のＰＳ ＵＥが現在いるのかについての情報を収容する。
【００３７】
・セル・エッジＵＥ：このフィールドは、ＵＥがセル・エッジ付近にいるか否かを示すインディケータを収容する。この判断は、ＵＥの基準信号受信パワー（ＲＳＲＰ）に基づくことができる。 RSRPUE≦RSRPCellEdgeというような、一定の条件が満たされた場合、ＵＥには、関連移動体ネットワークのＥＰＣによって提供されたＧＰＵＬにおけるセル・エッジＵＥであるという印が付けられる。
【００３８】
・中継機構フィールド：このフィールドは、特定のＰＳ ＵＥの中継機構が有効化されているか否か（同期情報をＰＳ対応ＵＥ間で中継するために使用される）についての情報を収容され、このフィールドは、例えば、標準化された管理インターフェースまたは企業固有の管理インターフェースを通じてＰＳサービス・サーバの構成にアクセスすることができるＰＳ当局によって設定される。
【００３９】
ＧＰＵＬのフィールドに収容された情報は、ＰＳ ＵＥの全ておよびそれらの位置の知識となる。ＰＳサーバが多数の事業者のネットワークを担当する場合、この情報は、ＵＥがどの事業者に属するかには無関係である。システム起動時に、ＰＳレジストリは、必要であれば、異なる事業者からこれらの情報全てを収集し、一方異なる事業者は、ＰＳサーバから、それらのドメイン内にあるＵＥの内どれがＰＳ対応ＵＥであるかについて知らされる。
【００４０】
尚、以上で定義したフィールドの各々は、本開示の個々の態様を表し、ＧＰＵＬにおける他のフィールドに必ずしも連携されないことは注記してしかるべきである。
【００４１】
ＰＳサーバは、以下の場所に位置するアプリケーション・サーバであると考えることができる。
ａ）図３に示すように、関連移動体ネットワーク事業者のドメインの背後にあり、関連移動体ネットワーク事業者のＰｒｏＳｅサーバとインターフェースする。尚、移動体ネットワーク事業者のＰｒｏＳｅサーバは、近接発見を可能にし、更に商用ＵＥ（即ち、ＰＳ非対応ＵＥ）のためにデバイス間接続を確立することを可能にすることを注記しておく。
ｂ）ＥＰＣ内部、更に具体的には、移動体ネットワーク事業者のＰｒｏＳｅサーバの隣りに、またはその一部として配置することができる（この選択肢は、明確化の理由のために図３には示されていない）。
【００４２】
ＰＳサーバには、そのコンテンツを最新に維持するために、以下の情報を提供することができる。
ａ）ＰＳ ＵＥの位置は、ＭＭＥによって、またはＰｒｏＳｅサーバを介して、パケット・データ・ユニット（ＰＤＵ）の使用によって、ＰＳサーバとＭＭＥ／ＰｒｏＳｅとの間における非アクセス層シグナリングによって、ＰＳサーバに提供することができる。
ｂ）ＵＥのＵＥ  ＩＤ、グループ、クラス、中継能力、または発見可能な構成というような追加情報は、ＰＳサーバに直接ＵＥから、ＵＥとＥＰＳとの間におけるＥＰＳベアラの確立によって通信することができる。
ｃ）加えて、セル・エッジ情報またはネットワーク・カバレッジというようなＰＳレジストリ・フィールドの一部は、ＥＰＣを介したｅＮＢ（進化ノードＢ）とＰＳレジストリ・サーバとの間におけるシグナリングによって取得した情報を満たすこともできる。これが標準的なインターフェースであってもよい。
【００４３】
ＰＳ対応ＵＥ間におけるＰｒｏＳｅ発見および通信は、専用スペクトルにおいて行われ、この専用スペクトルは、公衆安全の目的のために確保されており（公衆安全スペクトル）、したがって、事業者割り当てスペクトルは影響を受けずにいられる。事業者のネットワーク内部にあるＵＥは、事業者の内部クロックに基づいて、マスタ情報ブロック（ＭＩＢ）におけるシステム・フレーム番号（ＳＦＮ）ならびに主および副同期チャネル（Ｐ−ＳＣＨおよびＳ−ＳＣＨ）のブロードキャストによって同期させることができる。異なる基地局は、互いの間で、グローバル・ナビゲーション衛星システム（ＧＮＳＳ）を使用して、バックホール・ネットワークおよび例えばＩＥＥＥ１５８８ｖ２＋ＳｙｎｃＥプロトコルを使用して等のような、異なる方法によって同期を取る。
【００４４】
ＰＳ ＵＥが属する事業者には関係なく、全てのＰＳ対応ＵＥは、ＵＳＰＣに基づいて、ＰＳサーバとの第２同期を維持することもできる（事業者との同期とは別に）。これは、ＰＳ対応ＵＥ間において、これらがどの事業者に属するかには関係なく、同期を達成することができる。各関連事業者ネットワークは、ＰＳサーバからＳＦＮおよび同期クロックを引き出し、それ自体のＳＦＮおよび同期クロックを用いて、対応するオフセットを導き出すことができる。このオフセットは、ＰＳ対応ＵＥがＰＳサービス用の専用スペクトルにおいて他のＰＳ対応ＵＥと、発見およびＤ２Ｄ接続設定を行うときに、これらのＵＥに通知することができる。
【００４５】
図４は、商用動作（非ＰＳスペクトル）およびＰＳサービス（ＰＳスペクトル）に使用される周波数スペクトルの模式図である。ＰＳスペクトルは、複数の事業者に共通にすることができるＰＳサービスのために、特別に確保されたスペクトルである。
【００４６】
ＰｒｏＳｅ発見および通信は、公衆安全の目的のために特別に確保されたスペクトルにおいて行うことができる。図４に示すように、ＰＳスペクトルにおける２つの非常に小さい周波数帯域が、特殊目的のために確保される。    
【００４７】
確保されたスペクトル帯域ＲＳ１は、好ましくはＵＰＳＣ同期情報を収容する同期パケットの形態での同期情報の送信または再送信（中継）のためにのみ使用される。この同期パケットを受信したＰＳ対応ＵＥは、それら自体の間でまたはＰＳサーバと同期することができる。ＵＰＳＣ同期情報の他に、ＵＥによって送信される同期パケットは、カウンタも収容することができる。このカウンタは、ＰＳ ＵＥのＰＳサーバ（そして、つまりユニバーサル・クロック）との最後の連絡以降の経過時間を示す。このカウンタは、２つのＵＥが双方共ネットワーク・カバレッジの外部にあり、ＵＰＳＣとの同期を失ったが互いのＤＳＤ距離以内にあるときに、最後に更新されたＵＥのタイミングを使用することによってこれらのＵＥ自体の間で同期させることによって、これら２つのＥＵ間における「結び付き」(tie)を断ち切るために使用することができる。ＵＥがネットワーク・カバレッジ内部にあるとき、このカウンタはゼロに設定される。このカウンタの機能については、以下で更に説明する。同期信号の送信は、例えば、ＬＴＥにおいてＰ−ＳＣＨおよびＳ−ＳＣＨによって行われるのと同様に実行することができる。カウンタの代わりに、フラグを使用して、同期情報がＵＰＳＣに対応するか否か示すこともできる。
【００４８】
図４において確保されたスペクトルＲＳ２は、ＰＳ対応ＵＥによる近接告知（ＰＡ）の送信のためのみに使用される。ランダム・アクセス・チャネル（ＲＡＣＨ）原理をこのチャネルに適用することができ、ＰＳ ＵＥは、それらのＰＡを送信開始する前に、チャネル（ＲＳ２スペクトル帯域）が空いていることを検知するまで待たなければならないことを意味する。このＰＡ信号の送信は、例えば、ＥＰ２５５９１９０に開示された方法で実行することができる。
【００４９】
ユニバーサル・クロックおよび２つの確保されたスペクトルの存在は、ネットワーク・カバレッジ外部のＰｒｏＳｅ発見を遂行するために適用される。ＰＳ ＵＥは、例えば、ＲＳ１において周期的に待ち受けるように構成することができ、更新された同期パケットを受ける(expect)ことができる。この受信パケットに基づいて、ＰＳ ＵＥはそれらの近接告知ＰＡ送信をＲＳ２上において同期させる、またはＰＳスペクトルにおけるいずれかの場所でＰｒｏＳｅ通信を開始することができる。特に、ネットワーク・カバレッジの外部に長時間留まっており、ＵＰＳＣとのその同期を失った可能性があるＰＳ ＵＥに対して、ＲＳ２においてＰＡを送信または受信しようとする前に、ＲＳ１において送信された同期パケットに基づいて再同期を実行することができる。
【００５０】
異なるＰＬＭＮからのＰＳ ＵＥが使用される場合、この解決策の事業者間ステータスを維持し、共通の基準クロックを使用して全てのＰＳ ＵＥ（ネットワーク・カバレッジ内部か外部かには関係なく）を同期できることを確保するために、入手可能であれば、ＵＰＳＣクロック・タイミングを使用することができ、またはＵＰＳＣが入手可能でない場合（ＵＥがネットワーク・カバレッジの外部にある）、最後に更新された内部ＵＥタイミングを使用することができる。この理由のために、ＲＳ１においてＵＥの同期情報と共に「経過時間カウンタ」が送信されてもよい。これは、ＰＳ ＵＥがＰＳサーバに最後に連絡したとき以降の経過時間（例えば、秒単位）、つまり更新されたその内部ＵＰＳＣ情報を収容する。ＰＳ ＵＥがネットワーク・カバレッジ内部にあるとき、このカウンタはゼロにセットされる。何故なら、ＵＥは引き続きＵＰＳＣと周期的に連絡を取っているからである。尚、経過時間がカウントし始めるのは、ＵＥのＵＰＳＣとの最後の連絡以降に時間期間Ｔ０が経過したときであると仮定する。ここで、Ｔ０は正規のＵＰＳＣ更新の期間(period)よりも長い。このカウンタは、様々な目的に役立つ。例えば、
・ネットワーク・カバレッジ内部にあるＰＳ ＵＥ（ＵＰＳＣと同期されている）およびネットワーク・カバレッジ外部にあるＰＳ ＵＥ（同期されていない）が互いのＤ２Ｄ距離内に入ったとき、これらの間で同期するためには、カバレッジ外部のＰＳ ＵＥの古いタイミングではなく、ＵＰＳＣタイミングを使用する。
・ネットワーク・カバレッジ外部にある２つのＰＳ ＵＥ（双方共同期されていない）が互いのＤ２Ｄ距離内に入ったとき、これらの間で同期するためには、最後に更新されたＵＥの情報を使用する。何故なら、そのタイミングの方が、ＵＰＳＣタイミングに一層近いまたは同一である可能性(chance)が高いからである。
【００５１】
また、このカウンタは、任意の所与の状況においてどのＵＥのタイミングを使用すべきかに関して、曖昧さを解決する明確な指針を与える。
【００５２】
ＵＰＳＣ信号は、ＰＳ ＵＥがセル・エッジ上またはネットワーク・カバレッジ外部にあるときに、ＰＳ ＵＥがそれを再送信することを可能にする。更に、追加の革新は、ネットワーク・カバレッジの外部に長時間ありそれらのネットワークとの同期を失った場合に、ＵＥがＵＰＳＣ同期パケットをそれら自体の同期を収容するパケットと交換してそれを送信できることである。
【００５３】
この同期方式は、ネットワーク・カバレッジ外部の異なるＰＬＭＮからでも、ＰＳ ＵＥを同期させることができる。ＵＰＳＣによる共通時間基準は、異なる事業者が担当するＰＳ対応ＵＥが、互いにそして一時的にカバレッジ外部にあるＰＳ対応ＵＥと、専用ＰＳスペクトル・ドメインにおいて効率的に同期することを可能にし、発見およびＤ２Ｄ設定手順を短縮し、「干渉を受けなく」する。「干渉を受けない」効果とは、ＰＳ専用スペクトルにおける干渉を回避することを言う。この干渉は、事業者のカバレッジ内部にあるＰＳ対応ＵＥが、その事業者のカバレッジ外部にあるＰＳ対応ＵＥのＳＦＮおよび同期基準と同期していないそれらの同期およびＰＡ信号を送信することによって生ずる。尚、異なる事業者間の同期外れからの干渉（ＰＳ対応ＵＥも事業者のネットワーク・カバレッジ内部および外部のＵＥからである場合）によって、ある種の場合にはシステム性能の低下を招く可能性があることを注記しておく。
【００５４】
前述のＧＰＵＬを最新に維持し、ＰｒｏＳｅ発見手順を可能にするために、３つの汎用的アルゴリズム・ステップを本システムによって実行することができる。
【００５５】
第１ステップでは、ＧＰＵＬの周期的な更新またはイベントによって誘発される更新を実行する。ＧＰＵＬの周期的更新は、事業者ドメインの全てにおける全てのＰＳ ＵＥの所在(whereabouts)についての情報を維持するために行われる。ＰＳ ＵＥは、ＧＰＵＬにおけるそれらのエントリを最新に保つために、周期的にＰＳサーバと通信するように構成されている。また、この手順は、ＰＳ ＵＥの位置および最後の視認(seeing)がシステムに知らされるように、ＴＡ／ＲＡ／セル／ＵＥ座標およびタイムスタンプ・フィールドを最新に保つためにも行われる。この周期的更新の時間間隔は、ネットワーク事業者によってまたは公衆安全サーバのアドミニストレータによって調節することができる。
【００５６】
周期的な更新とは別に、ＰＳ ＵＥは任意の時点でＰＳサーバに連絡してＧＰＵＬにおけるそのフィールドを更新することができ、これは特定のイベントによって誘発される。またはＰＳサーバが、そのエントリにおけるＰＳ ＵＥの一部または全部に、それらのフィールドの「予定外」（非周期的）更新を実行するように要求することもでき、この場合も、例えば、特定のイベントによって誘発される。ＰＳ ＵＥの場合、このイベントは、他のセルへのハンドオーバー、セルの再選択、ＵＥの無効化、またはＧＰＵＬにおいてＵＥのＰＳサーバ・フィールドにおける情報を変化させる任意の他の種類のイベントであってもよい。ＰＳサーバの場合、このイベントは、緊急事態が発生したというＰＳサーバからのトリガであることも可能であり、エリア内で入手可能な全てのＰＳ ＵＥを識別することが重要となる。
【００５７】
第２ステップでは、Ｄ２Ｄ候補リストの周期的な計算、またはイベントによって誘発される計算を実行する。
【００５８】
このアルゴリズムの第１ステップが完了し、ＰＳサーバにおける情報が更新された後、サーバはＧＰＵＬにおけるＰＳ ＵＥのどれが可能なＤ２Ｄ候補であるか識別することができる。ＴＡ／ＲＡ／セル／ＵＥ座標およびタイムスタンプ・フィールドを分析することによって、サーバは、どのＰＳ ＵＥが、特定の時点（タイムスタンプ・フィールド）において互いの近傍（Ｄ２Ｄ範囲）にあるか識別することができる。Ｄ２Ｄ距離は、各ＵＥの能力（例えば、利用可能な送信パワー）およびそれらの構成によって異なり、ＧＰＵＬエントリに含めることもできる。計算の後、ＰＳサーバはＤ２Ｄ通信に可能な候補であるＰＳ ＵＥのリストを生成する。
【００５９】
ここでも、この手順は、周期的イベントである代わりに、ＰＳ ＵＥのハンドオーバーまたはセル再選択というような特定のイベント、あるいはＰＳサーバからのコマンドによって誘発されてもよい。ＰＳサーバには、ｅＮＢからのシグナリングによって、または特別の確立されたＥＰＳ（進化したパケット・システム）ベアラを通じてＰＳ ＵＥから直接、これらのイベントについて知らされる。
【００６０】
第３ステップでは、ＰｒｏＳｅ発見手順を開始することができる。
【００６１】
第２ステップが完了した後、候補Ｄ２Ｄ  ＵＥのリストを１つ以上の事業者に受け渡す。すると、事業者は、リスト上において、それらのネットワーク上に在留しているＰＳ ＵＥに、これらが他のＰＳ ＵＥの近傍にあり、それらの間においてＤ２Ｄ通信の可能性がある（例えば、ＬＴＥ直接通信）ことを通知する。ＰＳ ＵＥのユーザが他のＵＥとのＤ２Ｄ通信の可能性を追跡することを選択した場合、またはＰＳサーバからＰＳ対応ＵＥ間でＤ２Ｄ通信のコマンドがある場合、ＰＳ ＵＥは、これらが実際に互いのＤ２Ｄ距離以内にあるか否か識別するために特別の接測定(extra proximity measurements)を開始し、そしてＰｒｏＳｅ発見手順を開始する。その結果、互いの近傍以内にあるＰＳ ＵＥは互いを発見し、Ｄ２Ｄ通信を開始する。
【００６２】
システムの最適機能を求めるため、そして完全性を保存するために、追加のステップを実行することもできる。
【００６３】
例えば、ＰＳ ＵＥが無効化された（オフに切り替えられた）とき、特定の「ＧＰＵＬ離脱」要求をＰＳサーバに送ることができる。その結果、この特定のＰＳ ＵＥのエントリは、ＧＰＵＬから削除される。このように、ＰＳレジストリは、ユーザによって意図的に無効化されたＰＳ ＵＥと、ネットワーク・カバレッジの外部に位置しＰＳレジストリと通信できないＰＳ ＵＥとの間で差別化することができる。
【００６４】
他の追加のステップは、カバレッジ外ＰＳ ＵＥ登録を含む。ＧＰＵＬ内にエントリを有するＰＳ ＵＥがその周期的更新を実行し損ねて、このＰＳ ＵＥによって「ＰＳレジストリ離脱」要求が送られていない場合、ＰＳサーバは、このＰＳ ＵＥがネットワーク・カバレッジから外れたと想定することができ、そのＧＰＵＬエントリにおける対応するフィールド（ネットワーク・カバレッジ・フィールド）を更新する。このように、ＰＳサーバは、どのＰＳ ＵＥがネットワーク・カバレッジの外部にあるか、そしてどこでいつこれらが最後に視認されたかについての知識を有する。
【００６５】
発見可能なＰＳ ＵＥは、これらがＰＳレジストリとのその周期的な更新を実行し損ねた場合、ネットワーク・カバレッジから外れたと想定し、周期的な「近接告知」を開始するように構成される。近接告知は、公衆安全通信のために確保されたスペクトルにおいて送出される特殊メッセージであり、ＵＥの存在を近傍にある他のＰＳ ＵＥに告知する。このように、ＰＳ ＵＥはネットワーク・カバレッジの外側であっても、互いを発見することができる。また、ＵＥが他のＰＳ対応ＵＥの近傍にあることが、ネットワークによってこのＵＥに知らされたとき、ネットワーク・カバレッジ内部でも近接告知を送信することができる。
【００６６】
以上で説明したシステムの特性に基づいて、ＰＳ ＵＥがネットワーク・カバレッジ内部にあるのかまたは外部にあるのかには関係なく、そしてこれらが発見可能または発見不可能に構成されているかにも関係なく、 ＰＳ対応ＵＥのＰｒｏＳｅ発見が可能になる。
【００６７】
図５は、１つ以上のＰＳ ＵＥがネットワーク・カバレッジの外部にある例を示す。
【００６８】
ＰＳサーバが関係する限り、２つ以上のＰＳ対応ＵＥが互いのＤ２Ｄ範囲内にあると直ちに、これらはＤ２Ｄ候補リストに載ることになる。次いで、ＰＳ ＵＥはそれらのそれぞれの事業者から（または双方のＰＳ ＵＥが同じネットワークからである場合、１つの事業者から）、これらが他のＰＳ対応ＵＥの近傍にあることを知らされる。このプロセスは、周期的に、または特定のイベントの発生時に（例えば、ＰＳサーバからの誘発）繰り返すことができる。
【００６９】
図５から、ＵＥＣがセル・エッジＵＥであり、一方ＵＥＡおよびＵＥＢはネットワーク・カバレッジの外部にあることを観察することができる。ＵＥＡおよびＵＥＢはネットワーク・カバレッジの外部にあるので、これらはもはやそれらのＰＳサーバとの周期的な更新を実行することはできない。その結果、ＵＥＡおよびＵＥＢの双方には、ＧＰＵＬの対応するフィールドにおいて、ネットワーク・カバレッジ外部という「印が付けられ」、一方ＵＥＣは、その体験したＲＳＲＰが指定された閾値よりも小さいので、セル・エッジＵＥという印が付けられる。これら２つのカテゴリ（セル・エッジまたはカバレッジ外部）のどちらにＵＥが属するかに応じて、異なるアクションが行われる。そのアクションは以下のように纏めることができる。
【００７０】
・セル・エッジＰＳ ＵＥ：
セル・エッジＰＳ ＵＥが発見可能ＰＳ ＵＥである場合、
・ＲＳ１において１秒のｘｍｓｅｃ毎にＵＰＳＣ同期パケット（担当基地局から受信したもの）を再送信する。
・ＲＳ２においてＰＡを待ち受ける。
・ＲＳ２においてＰＡを送信する。
セル・エッジＰＳ ＵＥが発見不可能なＰＳ ＵＥである場合：
・ＲＳ２においてＰＡを待ち受ける。
・ｔ＞Ｔ１の間ＰＡがない場合、ＵＰＳＣ同期パケット（担当基地局から受信したもの）をＲＳ１において再送信する。
・ＲＳ２においてＰＡを待ち受ける。
【００７１】
・ネットワーク・カバレッジ外部ＰＳ ＵＥ：
発見可能および発見不可能なＰＳ ＵＥ双方に対する汎用的ステップ：
・ＵＰＳＣ情報の受信時に、ＲＳ１においてＵＰＳＣ情報および再同期を待ち受ける。
・ＲＳ２においてＰＡを待ち受ける。
更に、ＰＳ ＵＥが発見可能なＰＳ ＵＥである場合：
・ＲＳ２においてＰＡを送信する。
更に、ＰＳ ＵＥが発見不可能なＰＳ ＵＥである場合：
・ＲＳ２においてＰＡを送信しないが、汎用的ステップを繰り返す。
特殊な場合：
・ＵＰＳＣ情報またはＰＡがｔ＞Ｔ２の間受信されない場合、
・発見可能なＰＳ ＵＥ：それ自体の同期をＲＳ１において、そしてＰＡをＲＳ２において送信する。
・発見不可能なＰＳ ＵＥ：ｔ＝Ｔ２＋ｘだけ待ち、次いでそれ自体の同期をＲＳ１において送信し、ＲＳ２において待ち受ける。
【００７２】
図５を参照すると、以上で述べたアクションにより、以下のシステム挙動が得られる。
【００７３】
発見可能なＰＳ ＵＥがセル・エッジ上にあるときはいつでも、「ネットワーク・カバレッジ外部」のＰＳ ＵＥの内あるものが最後に視認されたエリアの近傍にそれがいることが、ネットワークによって通知される。これは、カバレッジ外部のＰＳ ＵＥがそれら自体を再同期できるように、ＵＰＳＣ同期パケットをスペクトルＲＳ１（即ち、事業者自体のネットワークＳＦＮからの関連オフセットおよび同期クロックがネットワークから受信される）において再送信することを、セル・エッジＰＳ ＵＥに促す。その後、セル・エッジＰＳ ＵＥはＲＳ２においてＰＡを待ち受ける。カバレッジ外部のＵＥがＲＳ１上でこの情報を受信した場合、これらは再同期され、正しく時間同期された時点でそれらのＰＡをＲＳ２において送信できるはずである。セル・エッジＵＥがＲＳ２においてＰＡを全く受信していない場合、それ自体のＰＡを送出する。このプロセスは、セル・エッジＰＳ ＵＥがネットワーク・カバレッジ外部のＵＥを発見するまで、またはこの手順を終了するようにＰＳサーバによって命令されるまで（例えば、「ネットワーク・カバレッジ外部」のＵＥが最後に視認(sighting)されたＤ２Ｄ範囲内にもはやいない場合）周期的に継続する。
【００７４】
セル・エッジＰＳ ＵＥが発見不可能となるように構成されている場合、代わりに代替プロセスが使用される。何故なら、ＰＳ ＵＥはそれ自体を識別することが許されないからである。セル・エッジＰＳ ＵＥは、あるカバレッジ外部のＵＥが最後に視認されたエリアに対するその近傍性について、以前と同様にネットワークによって知らされる。セル・エッジＰＳ ＵＥは発見されることを望まないので、最初は何も送信しない（ＵＰＳＣ情報もＰＡも）が、ＲＳ２を監視する。カバレッジ外部のＰＳ ＵＥが引き続き同期しており、これらがＰＡを送信している場合、セル・エッジＰＳ ＵＥはこれらを発見することができる。長い時間期間が過ぎ（ｔ＞Ｔ１）、セル・エッジＵＥが未だ他のＰＳ ＵＥを発見していない場合、カバレッジ外部のＵＥはそれらの同期を失ったと判断する。この場合、セル・エッジＵＥはＲＳ１においてＵＰＳＣ同期パケットの再送信を開始し、ＲＳ２において全くＰＡを送信せずに、ＲＳ２を監視し続ける。このように、カバレッジ外部のＰＳ ＵＥはそれら自体でＵＰＳＣ情報および再同期を受信することができ、発見不可能なセル・エッジＵＥがこれらを発見できるように、それらのＰＡをＲＳ２において送信し始めることができる。ＵＰＳＣ同期パケットを再送信することによって、セル・エッジＵＥはその存在を知らせるが、その識別情報(identity)は明示されないので、引き続き発見されいままでいる。ＵＰＳＣ同期パケットは、汎用的な同期情報を収容するだけであり（前述のような経過時間カウンタまたはフラグも収容される可能性がある）、それを送ったＵＥについてのいかなる情報も収容しない。したがって、ネットワーク・カバレッジ外部のＰＳ ＵＥは、カバレッジの外部にある間にＵＰＳＣ同期パケットを受信したので、他のＰＳ ＵＥがその辺にあることを知る（これらがユーザと共有しないように構成することができる情報）が、ＵＥ識別情報(identity)に関する情報を有しておらず、このＰＳ ＵＥとデータを交換することはできない。これは最悪事態のシナリオの解決策であり、カバレッジ外部のＵＥがカバレッジ外部に非常に長い間停留していたために、これらがその同期を失っており、しかも匿名性を未だ保存しているとき、つまり、セル・エッジＵＥの発見不可能なステータスを未だ保存しているときにのみ使用される。
【００７５】
ＰＳ対応ＵＥがネットワーク・カバレッジの外部にある（ＰＳサーバに連絡し損ねる）場合、ＲＳ１を監視してＵＰＳＣ同期パケットを求め始め、ＲＳ２を監視して他のＰＳ対応ＵＥからのＰＡを求め始める。
【００７６】
また、ＰＳ ＵＥが発見可能となるように構成されている場合でも、あまりにも長い間ネットワーク・カバレッジの外部にいるのではないのであれば、ＵＰＳＣクロックに対応するそれ自体の同期に基づいて、そのＰＡをＲＳ２において送信する。
【００７７】
ＰＳ ＵＥが発見不可能となるように構成されている場合、何も送信せず、公衆安全スペクトル内に確保されている両スペクトル帯域（ＲＳ１およびＲＳ２）を単に監視し続ける。このように、発見不可能なＰＳ ＵＥは、ネットワーク・カバレッジ外部にあっても発見されないが、ネットワーク・カバレッジ内部または外部においても、近傍にある他のＰＳ対応ＵＥを発見することができる。
【００７８】
いくつかのＰＳ ＵＥが長い時間期間にわたってネットワーク・カバレッジの外部にあり、これらがＵＰＳＣとのその同期を失った場合、これらはそれらのＰＡをＲＳ２において送信している可能性があるが、同期を失ったために、互いを発見することはできない。この理由のために、特殊な解決策が考えられた。
【００７９】
カバレッジ外部のＰＳ ＵＥが発見可能となるように構成されている場合、時間ｔ＝Ｔ２の間前述の手順に従う。時間Ｔ２の後、同期パケットも他のＰＳ ＵＥからのＰＡも受信していない場合、それ自体の同期情報をＲＳ１において送信し始める。このように、他のＰＳ対応ＵＥがその近傍にある場合、ＲＳ１においてこの情報を受信し、送信側のＵＥのタイミングにそれ自体を同期させ、その結果、これら２つのＰＳ ＵＥはそれらのＰＡの送信をＲＳ２において同期させることができ、相互発見に至る。
【００８０】
発見不可能なＵＥは、同じプロセスに従うが、それ自体の同期情報をＲＳ１において送信開始する前に、ｔ＝Ｔ２＋ｘだけ待ち、こうして、発見不可能なＵＥが発見可能なＵＥを暴露する(reveal)前に、これらがそれら自体を「暴露」する可能性を一層高くする。  セル・エッジのシナリオにおけるように、これは最悪事例のシナリオの解決策であり、希な場合にのみ実施され、なおも発見不可能なＵＥが明示的に検出されないことを可能にする。しかし、あるＵＥが近隣にあるという事実を明かすものの、その識別についてそれ以上の情報は明かさない。
【００８１】
種々の時間パラメータ（Ｔ１、Ｔ２、およびｘ）をＰＳ対応ＵＥ内に予め設定することができ、またはＰＳサーバによってこれらを調節することができる。例えば、緊急でない状況では、これらの値を大きくすることができ、発見不可能なＵＥの存在が全く検出されないという事実を一層もっともらしくする一方、緊急の場合、これらの値を小さくすることができ、こうしてＰＳ対応ＵＥ間における素早い発見を確保する。
【００８２】
種々の使用事例について以下に説明する。これらの事例では、ＰＳ ＵＥの各々は、公衆安全スペクトルのネットワーク・カバレッジ内部または外部にあることができる。使用事例の各々において、ＰＳ ＵＥＣはＰＳサーバにおいて発見不可能なＰＳ ＵＥとして登録され、一方ＰＳ ＵＥＡおよびＰＳ ＵＥＢは発見可能なＰＳ ＵＥとして登録される（即ち、これらのＰＳ ＵＥはそれらの識別(identity)を送信することが可能になっている）。
【００８３】
第１の使用事例について、図６を参照しながら説明する。この使用事例では、発見不可能なＰＳ ＵＥＣはＰＳスペクトルのネットワーク・カバレッジ内部にあり、一方ＰＳ ＵＥＡおよびＰＳ ＵＥＢはネットワーク・カバレッジの外部にある。
【００８４】
図６の使用事例では、以下のイベントが起こる。
・ＰＳ ＵＥＡおよびＰＳ ＵＥＢは、ＰＳサーバとのそれらの周期的更新を実行し損ない、「カバレッジ外部」という印が付けられる。これらは双方共、ＲＳ１において待ち受け始め、ＲＳ２においてＰＡを送信する。
・ＵＥＣは、ＰＳサーバ内において、「セル・エッジ」という印が付けられる。
・ＰＳサーバは、ＰＳ ＵＥＣが、ＰＳ ＵＥＡおよびＰＳ ＵＥＢが最後に視認されたエリアの近傍にあると計算し、ＵＥＣに知らせる。
・ＰＳ ＵＥＣは、ＲＳ２を監視してＰAを捜すが、ＵＰＳＣ同期パケットをＲＳ１において再送信しない。
・全てのＵＥが互いのＤ２Ｄ範囲内にあるので、これらは全て、送出されたＰＡを受信することができる。
・ＵＥＡはＵＥＢの近隣告知を受信し、それを発見する。
・ＵＥＢは、ＵＥＡの近隣告知を受信し、それを発見する。
・ＵＥＣは、ＵＥＡおよびＵＥＢの近隣告知を受信し、これらを発見する。
・ＵＥＡおよびＵＥＢは、ＵＥＣを発見できない。何故なら、ＵＥＣは近隣告知を送出していないからである。
【００８５】
ＵＥＡおよびＵＥＢが、ネットワーク・カバレッジ外部に長期停留したために、それらの同期を失った場合、ＰＳ ＵＥＣは、前述のように、時間Ｔ１の後最終的にＵＰＳＣ同期パケット（現在それを担当するｅＮＢから受信したＳＦＮおよび同期クロック・オフセット）を再送信する。ＰＳ ＵＥＡおよびＰＳ ＵＥＢの再同期の後、以上で説明したのと同じイベントが起こる。
【００８６】
図７は、全てのＰＳ ＵＥがネットワーク・カバレッジの外部にある場合の使用事例の図である。この使用事例では、以下のイベントが起こると考えられる。
・ＰＳ ＵＥＡ、ＰＳ ＵＥＢ、およびＰＳ ＵＥＣの全てには、ＰＳサーバとの周期的更新を実行できないために、「ネットワーク・カバレッジ外部」という印が付けられている。
・ＰＳ ＵＥＡおよびＰＳ ＵＥＢはＲＳ２においてＰＡを送信し、ＲＳ１において待ち受け始める。
・ＰＳ ＵＥＣは、何も送信せずに、ＲＳ１およびＲＳ２を監視する。
・全てのＰＳ ＵＥは互いのＤ２Ｄ範囲内にあるので、これらは全て、送出された近隣告知ＰＡを受信することができる。
・ＵＥＡは、ＵＥＢの近隣告知を受信し、これを発見する。
・ＵＥＢは、ＵＥＡの近隣告知を受信し、これを発見する。
・ＵＥＣは、ＵＥＡおよびＵＥＢの近隣告知を受信し、これらを発見する。
・ＵＥＡおよびＵＥＢは、ＵＥＣを発見できない。何故なら、ＵＥＣは近隣告知を送出していないからである。
【００８７】
ＰＳ ＵＥＡ、ＰＳ ＵＥＢ、およびＰＳ ＵＥＣが、ＰＳスペクトルのネットワーク・カバレッジ外部に長期停留したために、それらの同期を失った場合、図６の使用事例において説明した手順に従い、これらのＰＳ ＵＥは、時間Ｔ２が経過した後（ＰＳ ＵＥＣについては［Ｔ２＋ｘ］）、これら自体の同期をＲＳ１において送信し始める。この結果、これらのＵＥ全てがこれら自体の間で同期し（最初に送信したＵＥの同期時間を使用する）、以上で説明したのと同じイベントが起こる。
【００８８】
図７の使用事例では、追加のステップが実行され、経過時間カウンタが使用される２つの特別の場合が想起されている。これらの場合は、図８および図９を参照して、以下で別個に扱う。
【００８９】
図８の場合は、図７の使用事例のレイアウトに基づき、ネットワーク・カバレッジ内部にある、発見可能に設定されたＰＳ ＵＥＤがネットワーク・カバレッジ外部のＰＳ ＵＥの既に形成されているクラスタに近づいて、このクラスタからのＤ２Ｄ距離以内に入り、ＬＴＥ−Ｄｉｒｅｃｔを使用してＰＳスペクトル上で通信する場合について検討する。この場合、ＰＳ ＵＥは、ＰＳ ＵＥＤのタイミングに同期することによって新たなクラスタを形成する。何故なら、これは正しい更新済みタイミングを有するＰＳ ＵＥであるからである（ＵＰＳＣ）。
【００９０】
図８の状況では、以下のイベントが起こる。
・ＰＳ ＵＥＡ、ＰＳ ＵＥＢ、およびＰＳ ＵＥＣの全てには、ＰＳレジストリとの周期的更新を実行できないために、「ネットワーク・カバレッジ外部」という印が付けられている。
・ＰＳ ＵＥＡ、ＰＳ ＵＥＢ、およびＰＳ ＵＥＣは、ネットワーク・カバレッジ外部に長時間いるのでＵＰＳＣとの同期を失ったと仮定する。
・図７を参照して説明したようにＲＳ１およびＲＳ２を使用することによって、ＰＳ ＵＥの全ては、最も小さい「経過時間カウンタ」を有するＰＳ ＵＥのタイミングを使用することによって、互いに同期し、互いを発見する。
・ＰＳ ＵＥＡ、ＰＳ ＵＥＢ、およびＰＳ ＵＥＣは、互いを発見しており、ＰｒｏＳｅ通信に入っている。
・ＰＳ ＵＥＤは、ネットワーク・カバレッジ外部クラスタからのＤ２Ｄ範囲内に入る。
・ＰＳ ＵＥＤには「セル・エッジＵＥ」という印が付けられ、ＲＳ１においてその同期パケットを送信し始める。この同期パケットは、ＵＰＳＣ情報と、未だネットワーク・カバレッジ内部にいるためにゼロになっているその「経過時間カウンタ」とを収容する。
・ＰＳ ＵＥＡ、ＰＳ ＵＥＢ、およびＰＳ ＵＥＣは、ＰＳ ＵＥＤの同期パケットを受信し、ＰＳ ＵＥＤの方が更に最近になってＵＰＳＣ情報を更新したことを知る。
・全てのＰＳ ＵＥは、ＰＳ ＵＥＤの同期パケットの情報を使用して、再同期する。
・再同期した後、全てのＰＳ ＵＥ（ＰＳ ＵＥＤを含む）は、前述のように、互いを再発見し、互いに通信し始める。
【００９１】
以上のステップは、ＵＰＳＣ情報が、入手可能なときには、Ｄ２Ｄ同期のために常に使用されることを確実にし、こうして全てのＰＳ ＵＥが、可能なときに、共通のタイミング基準を有することを確保する。
【００９２】
図９の場合では、ネットワーク・カバレッジ外部のＰＳ ＵＥの既に形成されているクラスタが、ネットワーク・カバレッジ外部のＰＳ ＵＥの他の既に形成されているクラスタに近づき、このクラスタのＤ２Ｄ距離以内に入る。双方のクラスタのＰＳ ＵＥは、ＰｒｏＳｅ通信を使用して、互いの間で通信しており、これらは双方ともＵＰＳＣとの同期が外れていると想定されるので、異なるクロックに基づいて同期が取られる。
【００９３】
以下のイベントが起こると考えられる。
・全てのＰＳ ＵＥは、ＰＳレジストリとの周期的更新を実行できないために、「ネットワーク・カバレッジ外部」という印が付けられている。
・全てのＰＳ ＵＥは、ネットワーク・カバレッジ外部に長時間いるのでＵＰＳＣとの同期を失ったと仮定する。
・ＰＳ ＵＥＡ、ＰＳ ＵＥＢ、およびＰＳ ＵＥＣは、タイミングｔ１≠ＵＰＳＣを使用して同期される。ＰＳ ＵＥＤ、ＰＳ ＵＥＥ、およびＰＳ ＵＥＦは、タイミングｔ２≠ＵＰＳＣを使用して同期される。更に、ｔ１≠ｔ２である。
・ＲＳ１における同期パケットの送信、およびＲＳ２におけるＰＡの送信から、全てのＰＳ ＵＥはより多くのＰＳ対応ＵＥが現在Ｄ２Ｄ範囲内にあることを知る。
・全てのＰＳ ＵＥは、その同期パケットにおいて最も小さい「経過時間カウンタ」を有するＰＳ ＵＥのタイミングを使用して再同期する。
・再同期した後、全てのＰＳ ＵＥは、前述のように、互いを再発見し互いに通信し始める。
【００９４】
これらのステップは、全ての利用可能なＰＳ ＵＥがＵＰＳＣとの同期が外れているときにどのＰＳ ＵＥタイミングを使用すべきか明確にするので、これによって同期および発見プロセスが高速化する。ＰＳ ＵＥがＵＰＳＣと同期される確率が高くなる。何故なら、最後に更新されたＰＳ ＵＥがＵＰＳＣと未だ同期している可能性があるからである。
【００９５】
図１０の使用事例では、発見不可能となるように構成されているＰＳ ＵＥＣはネットワーク・カバレッジ外部に位置し、一方発見可能となるように構成されているＰＳ ＵＥＡおよびＰＳ ＵＥＢはネットワーク・カバレッジ内部にある。
【００９６】
この事例では、次のイベントが起こる。
・ＰＳ ＵＥＡおよびＰＳ ＵＥＢには「セル・エッジ」という印が付けられ、ＰＳサーバによって、これらは、ＰＳ ＵＥＣが最後に視認されたエリア内にあることを知らされる。  
・ＰＳ ＵＥＡおよびＰＳ ＵＥＢは、ＲＳ１においてＵＰＳＣ同期パケット再送信を、そしてＲＳ２においてＰＡ送信を開始する（これらは発見可能となるように構成されているため）。
・ＰＳ ＵＥＣは、ＰＳサーバとの周期的更新を実行することができないため、「ネットワーク・カバレッジ外部」という印が付けられる。
・ＰＳ ＵＥＣは、発見不可能となるように構成されているので、ＰＡをＲＳ２において送信しない。
・全てのＰＳ ＵＥは互いのＤ２Ｄ範囲内にあるので、これらは全て、送出された近隣告知を受信することができる。
・ＰＳ ＵＥＣはＲＳ１およびＲＳ２を監視し、再同期情報およびＰＡをそれぞれ受信する。
・ＰＳ ＵＥＡは、ＰＳ ＵＥＢの近隣告知を受信し、それを発見する。
・ＰＳ ＵＥＢは、ＰＳ ＵＥＡの近隣告知を受信し、それを発見する。
・ＰＳ ＵＥＣは、ＰＳ ＵＥＡおよびＰＳ ＵＥＢの近隣告知を受信し、それらを発見する。
・ＰＳ ＵＥＡおよびＰＳ ＵＥＢは、ＵＥＣを発見できない。何故なら、ＵＥＣは近隣告知を送出していないからである。
【００９７】
ＰＳ ＵＥＣが長時間カバレッジ外部にいた場合、最初はＲＳ１における同期パケット送信およびＲＳ２における対応するＰＡ送信に対して同期が外れている可能性がある。その場合、ＵＥＣは（周期的に）ＲＳ１をスキャンして、「セル・エッジ」ユーザＰＳ ＵＥＡおよびＰＳ ＵＥＢによって再送信される同期パケットを求め、同期を再度獲得する。一方、これによって、ＰＳ ＵＥＣもＲＳ２においてＰＡ送信を捕獲し、ＰＳ ＵＥＡおよびＰＳ ＵＥＢを発見することが可能になる。
【００９８】
ＰＳ ＵＥは異なるＰＬＭＮに属してもよい。各ＰＬＭＮはそれ自体の同期基準を有する。異なるＰＬＭＮに属するＰＳ ＵＥは、一般に、これらが発見情報を送る／受信することができる同期タイム・スロットを有していない。
【００９９】
図１１の使用事例では、全てのＰＳ ＵＥがＰＳスペクトルのネットワーク・カバレッジ内部に位置するが、異なる事業者に属する。ＵＥＡおよびＵＥＢは、事業者ＢのＰＬＭＮに属し、一方ＵＥＣは事業者ＡのＰＬＭＮに属する。
【０１００】
図１１の場合、以下のイベントが起こる。
・ＰＳ ＵＥにはいずれも、セル・エッジともネットワーク・カバレッジ外部とも印が付けられていない。
・全てのＰＳ ＵＥは、ＵＰＳＣ信号によって、ＰＳサーバと同期されている。
・これらの位置情報に基づいて、ＰＳサーバは計算し、３つのＰＳ ＵＥ全てに、これらが互いのＤ２Ｄ範囲以内にあることを知らせる。
・ＰＳ ＵＥＡおよびＰＳ ＵＥＢは、ＲＳ２においてＰＡ送信を開始する（これらは発見可能となるように構成されているため）。
・ＰＳ ＵＥＣは、発見不可能となるように構成されているので、ＲＳ２においてＰＡを送信しない。
・全てのＰＳ ＵＥは互いのＤ２Ｄ範囲内にあるので、これらは全て、送出された近隣告知を受信することができる。
・ＰＳ ＵＥＣは、ＲＳ２を監視して、送信されたＰＡを求める。
・ＰＳ ＵＥＡは、ＵＥＢの近隣告知を受信し、これを発見する。
・ＰＳ ＵＥＢは、ＵＥＡの近隣告知を受信し、これを発見する。
・ＰＳ ＵＥＣは、ＰＳ ＵＥＡおよびＰＳ ＵＥＢの近隣告知を受信し、これらを発見する。
・ＰＳ ＵＥＡおよびＰＳ ＵＥＢは、ＰＳ ＵＥＣを発見できない。何故なら、ＰＳ ＵＥＣは近隣告知を送出していないからである。
【０１０１】
尚、以上の実施形態では、異なる帯域ＲＳ１およびＲＳ２が、それぞれ、同期情報およびＰＡの送信のために適用されたが、１つの帯域が適用されてもよいことは注記してしかるべきである。このような場合、干渉低減または解消手段を適用してもよい。
【０１０２】
尚、以上の開示では、公衆安全スペクトルおよびＰＳ ＵＥを中心に据えたが、提示した手法は、スペクトルのＰＳ以外の部分における公衆安全以外のＵＥにも適用できることは注記してしかるべきである。また、公衆安全以外の場合では、ＵＥおよび他の携帯デバイスが発見不可能として設定される、即ち、構成されてもよい。
【０１０３】
尚、前述の方法は、実行されるステップに関して説明したが、説明したステップが、説明した順序通りに、および／または１つずつ実行されなければならないと解釈してはならない。当業者であれば、同等の技術的成果を得るためにステップの順序を変更することおよび／またはステップを並行して実行することも想起することができよう。
【０１０４】
何らかの変更によって、当業者は、本明細書において説明した実施形態を他のアーキテクチャ、ネットワーク、または技術に拡張することができる。
【０１０５】
本発明の種々の実施形態は、コンピュータ・システムまたはプロセッサとの使用のためのプログラム製品として実装することもでき、プログラム製品のプログラム（１つまたは複数）が、実施形態の機能を定める（本明細書において説明した方法を含む）。一実施形態では、プログラム（１つまたは複数）は、種々の非一時的コンピュータ読み取り可能記憶媒体（一般に「ストレージ」と呼ばれる）上に収容することができ、本明細書において使用する場合、「非一時的コンピュータ読み取り可能記憶媒体」という表現は、あらゆるコンピュータ読み取り可能媒体を含み、唯一の例外が一時的な伝搬信号である。他の実施形態では、プログラム（１つまたは複数）は、種々の一時的なコンピュータ読み取り可能記憶媒体上に収容することができる。実例的なコンピュータ読み取り可能記憶媒体には、（ｉ）情報が永続的に格納される書き込み不可能な記憶媒体（例えば、ＣＤ−ＲＯＭドライブによって読み取り可能なＣＤ−ＲＯＭディスク、ＲＯＭチップ、または任意のタイプのソリッド・ステート不揮発性半導体メモリのような、コンピュータ内にあるリード・オンリ・メモリ・デバイス）、および（ｉｉ）変化可能な情報が格納される書き込み可能な記憶媒体（例えば、フラッシュ・メモリ、ディスケット・ドライブ内部にあるフロッピ・ディスク、またはハード・ディスク・ドライブ、あるいは任意のタイプのソリッド・ステート・ラダム・アクセス半導体メモリ）が含まれるが、これらに限定されるのではない。
【０１０６】
尚、任意の１つの実施形態に関係して説明した任意の特徴は、単独で、または説明した他の特徴と組み合わせて使用することもでき、更に実施形態の内他の任意のものの１つ以上の特徴と組み合わせて、あるいは実施形態の内任意の他のものの任意の組み合わせで使用することもできることは理解されよう。更に、本発明は、以上で説明した実施形態に限定されず、添付する請求項の範囲内で変更されてもよい。
【図１】
2018174587.tif 000002
【図２】
2018174587.tif 000003
【図３】
2018174587.tif 000004
【図４】
2018174587.tif 000005
【図５】
2018174587.tif 000006
【図６】
2018174587.tif 000007
【図７】
2018174587.tif 000008
【図８】
2018174587.tif 000009
【図９】
2018174587.tif 000010
【図１０】
2018174587.tif 000011
【図１１】
2018174587.tif 000012
【手続補正書】
【提出日】平成30年7月18日(2018.7.18)
【手続補正１】
【補正対象書類名】特許請求の範囲
【補正対象項目名】全文
【補正方法】変更
【補正の内容】
【特許請求の範囲】
【請求項１】
システムにおいて発見可能または発見不可能な第１ユーザ機器（以下、「ＵＥ」と称する。）による発見可能な第２ＵＥの発見方法であって、前記システムが、前記第１ＵＥおよび前記第２ＵＥのワイヤレス・アクセスのためにスペクトルを提供する電気通信ネットワークを含み、当該方法が、前記第１ＵＥによる、
−前記第２ＵＥについての同期情報を送信するステップと、
−前記送信された同期情報にしたがって、少なくとも１つの近接告知（以下、「ＰＡ」と称する。）を前記第２ＵＥから受信するステップと、
を含み、前記同期情報が該同期情報の鮮度の指標を含み、該指標が前記第１ＵＥのユニバーサル・クロックとの最後の連絡以降の経過時間を示すカウンタまたはフラグである、方法。
【請求項２】
請求項１記載の方法において、前記第１ＵＥが発見不可能なＵＥであり、当該方法が、更に、前記発見不可能な第１ＵＥによる、
−第１既定時間期間にわたって前記同期情報の送信を遅延させるステップと、
−前記第１既定時間期間中に前記発見可能な第２ＵＥからのＰＡおよび同期情報の内少なくとも１つの受信を監視するステップと、
−前記ＰＡまたは同期情報が前記第１既定時間期間中に受信されなかった場合にのみ、前記第２ＵＥについての前記同期情報を送信するステップと、
を含む、方法。
【請求項３】
請求項１または２記載の方法において、前記第１ＵＥが、前記電気通信ネットワークの前記スペクトルのネットワーク・カバレッジ下にあり、前記発見可能な第２ＵＥが、前記ネットワーク・カバレッジの外部にあり、当該方法が更に、前記第１ＵＥによる、
−前記電気通信ネットワークから同期情報を受信するステップと、
−前記第２ＵＥについての前記同期情報を送信するステップであって、前記第２ＵＥについての前記同期情報が、前記電気通信ネットワークから受信される前記同期情報に基づく、ステップと、
を含む、方法。
【請求項４】
請求項３記載の方法であって、更に、前記第１ＵＥによる、
−前記ネットワーク・カバレッジの外部にある発見可能な第２ＵＥについての前記電気通信ネットワークからのトリガを受信するステップと、
−前記トリガが受信されているときにのみ、前記同期情報を送信するステップと、
を含む、方法。
【請求項５】
請求項１または２記載の方法において、前記第１ＵＥが、前記電気通信ネットワークの前記スペクトルのネットワーク・カバレッジ外部にあり、当該方法が、更に、前記第１ＵＥによる、
−第２既定時間期間だけ前記同期情報の送信を遅延させるステップと、
−前記第２既定時間期間中に前記発見可能な第２ＵＥからの同期情報を監視するステップと、
−前記第２既定時間期間の経過後に前記同期情報を送信するステップであって、前記同期情報が前記第１ＵＥ自体からの同期情報である、ステップと、
−前記第１ＵＥ自体からの前記同期情報にしたがって、前記少なくとも１つのＰＡを受信するステップと、
を含む、方法。
【請求項６】
請求項５記載の方法において、前記第１既定時間期間が、前記第２既定時間期間よりも短い、方法。
【請求項７】
請求項１または２記載の方法であって、更に、前記第１ＵＥによる、
−第３ＵＥからの同期情報を受信するステップであって、前記同期情報が当該同期情報の鮮度の指標を含む、ステップと、
−前記鮮度の指標が、前記同期情報の方が現在適用されている同期情報よりも新しいというような前記同期情報の鮮度であることを示す場合、前記第３ＵＥから前記少なくとも１つのＰＡを受信するために、前記第３ＵＥからの前記同期情報にしたがって同期を適合するステップと、
を含む、方法。
【請求項８】
請求項７記載の方法において、前記指標が、経過時間フィールドおよびフラグの内少なくとも１つを含む、方法。
【請求項９】
請求項２記載の方法において、前記発見可能な第２ＵＥが、前記電気通信ネットワークの前記スペクトルのネットワーク・カバレッジ内部にあり、前記同期情報が前記発見可能な第２ＵＥから受信され、前記同期情報が前記電気通信ネットワークから受信される前記同期情報に基づき、前記同期情報の送信が省略される、方法。
【請求項１０】
請求項１または２記載の方法において、前記同期情報が前記スペクトルの第１確保スペクトル帯域において送信され、前記ＰＡが、前記スペクトルの、前記第１スペクトル帯域とは異なる第２確保スペクトル帯域において受信される、方法。
【請求項１１】
コンピュータ・システム上で実行されると、請求項１または２記載の方法を実行するように構成されたソフトウェア・コード部分を含むプログラムを格納するコンピュータ可読記録媒体。
【請求項１２】
ユーザ・デバイスであって、システムにおいて発見可能な第２ユーザ機器を発見し、
前記システムが、当該ユーザ・デバイスおよび前記第２ユーザ・デバイスのワイヤレス・アクセスのためにスペクトルを提供する電気通信ネットワークを含み、当該ユーザ・デバイスが、
−前記第２ユーザ・デバイスについての同期情報を送信し、
−前記送信された同期情報にしたがって、少なくとも１つの近接告知を前記第２ユーザ・デバイスから受信する、
ように構成され、前記同期情報が該同期情報の鮮度の指標を含み、該指標が当該ユーザ・デバイスのユニバーサル・クロックとの最後の連絡以降の経過時間を示すカウンタまたはフラグである、ユーザ・デバイス。
【請求項１３】
請求項１２記載のユーザ・デバイスであって、更に、請求項２〜１０の何れか一項記載の方法のステップを実行するように構成される、ユーザ・デバイス。